【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
木材処理用の配合物であって、
前記配合物が第１の溶液および第２の溶液の混合物であり、前記第１の溶液はスチレンおよび開始剤を含み、前記開始剤はスチレンを基準として約１％以上の量だけ存在し、前記第２の溶液はフルフリルアルコールおよび開始剤を含み、前記開始剤はフルフリルアルコールを基準として約５％以上の量だけ存在することを特徴とする、木材処理用の配合物。
【請求項２】
前記第１の溶液はさらに架橋剤を含むものであることを特徴とする、請求項１の木材用処理配合物。
【請求項３】
前記第１の溶液の前記開始剤は、２，２’−アゾビス（２−メチルブタン−ニトリル）、１，１’−アゾビス（シクロヘキサン−カルボニトリル）および第３ブチルペルベンゾエートの組合せであることを特徴とする、請求項２の木材処理用の配合物。
【請求項４】
前記第１の溶液の前記架橋剤はジビニルベンゼンであることを特徴とする、請求項２の木材処理用の配合物。
【請求項５】
前記第１の溶液中に、オプションとして鉱油またはワックスがエキステンダーとして存在することを特徴とする、請求項２の木材処理用の配合物。
【請求項６】
前記第２の溶液の前記開始剤が無水マレイン酸であることを特徴とする、請求項２の木材処理用の配合物。
【請求項７】
前記第１の溶液中に、スチレンを基準として約０．３％の２，２’−アゾビス（２−メチルブタン−ニトリル）が存在することを特徴とする、請求項３の木材処理用の配合物。
【請求項８】
前記第１の溶液中に、スチレンを基準として約０．４％の１，１’−アゾビス（シクロヘキサン−カルボニトリル）が存在することを特徴とする、請求項３の木材処理用の配合物。
【請求項９】
前記第１の溶液中に、スチレンを基準として約０．５％の第３ブチルペルベンゾエートが存在することを特徴とする、請求項３の木材処理用の配合物。
【請求項１０】
前記第１の溶液中に、スチレンを基準として約３．５％のジビニルベンゼンが存在することを特徴とする、請求項４の木材処理用の配合物。
【請求項１１】
前記第１の溶液中に、スチレンを基準として０〜３０％の鉱油またはワックスが存在することを特徴とする、請求項５の木材処理用の配合物。
【請求項１２】
前記第２の溶液中に、前記第１の溶液のスチレンを基準として１０〜３０％のフルフリルアルコールが存在することを特徴とする、請求項１の木材処理用の配合物。
【請求項１３】
前記第２の溶液中に、フルフリルアルコールを基準として５〜１０％の無水マレイン酸が存在することを特徴とする、請求項６の木材処理用の配合物。
【請求項１４】
木材処理用の配合物の製造方法であって、
前記配合物が、スチレンと、スチレンを基準として約１％以上の量だけ存在する開始剤とを含む第１の溶液を調製し、フルフリルアルコールと、フルフリルアルコールを基準として約５％以上の量だけ存在する開始剤とを含む第２の溶液を調製し、その後、前記２つの溶液を組み合わせることによって生成されることを特徴とする、
木材処理用の配合物の製造方法。
【請求項１５】
前記第１の溶液は、前記スチレンに開始剤および架橋剤を溶解させることによって調製され、前記第２の溶液は前記フルフリルアルコールに開始剤を溶解させることによって調製されることを特徴とする、請求項１４の木材用処理配合物の製造方法。
【請求項１６】
前記第１の溶液の前記開始剤は、２，２’−アゾビス（２−メチルブタン−ニトリル）、１，１’−アゾビス（シクロヘキサン−カルボニトリル）および第３ブチルペルベンゾエートの組合せから選択されることを特徴とする、請求項１５の木材処理用の配合物の製造方法。
【請求項１７】
前記第１の溶液の架橋剤はジビニルベンゼンであることを特徴とする、請求項１５の木材処理用の配合物の製造方法。
【請求項１８】
前記第１の溶液中に、オプションとして鉱油またはワックスがエキステンダーとして存在することを特徴とする、請求項１５の木材処理用の配合物の製造方法。
【請求項１９】
前記第２の溶液の前記開始剤が無水マレイン酸であることを特徴とする、請求項１５の木材処理用の配合物の製造方法。
【請求項２０】
前記第１の溶液中に、スチレンを基準として約０．３％の２，２’−アゾビス（２−メチルブタン−ニトリル）が存在することを特徴とする、請求項１６の木材処理用の配合物の製造方法。
【請求項２１】
前記第１の溶液中に、スチレンを基準として約０．４％の１，１’−アゾビス（シアノシクロヘキサン−カルボニトリル）が存在することを特徴とする、請求項１６の木材処理用の配合物の製造方法。
【請求項２２】
前記第１の溶液中に、スチレンを基準として約０．５％の第３ブチルペルベンゾエートが存在することを特徴とする、請求項１６の木材処理用の配合物の製造方法。
【請求項２３】
前記第１の溶液中に、スチレンを基準として約３．５％のジビニルベンゼンが存在することを特徴とする、請求項１７の木材処理用の配合物の製造方法。
【請求項２４】
前記第１の溶液中に、スチレンを基準として０〜３０％の鉱油またはワックスが存在することを特徴とする、請求項１８の木材処理用の配合物の製造方法。
【請求項２５】
前記第２の溶液中に、前記第１の溶液のスチレンを基準として１０〜３０％のフルフリルアルコールが存在することを特徴とする、請求項１４の木材処理用の配合物の製造方法。
【請求項２６】
前記第２の溶液中に、フルフリルアルコールを基準として５〜１０％の無水マレイン酸が存在することを特徴とする、請求項１９の木材処理用の配合物の製造方法。
【請求項２７】
木材を前記配合物中に浸し、前記配合物を前記木材中に強制的に押し込むために真空および加圧サイクルを適用することによって、木材処理溶液が含浸されることを特徴とする、請求項１４の木材処理用の配合物の製造方法。
【請求項２８】
加熱することによって木材中に含浸された処理配合物の硬化が行われることを特徴とする、請求項１４の木材処理用の配合物の製造方法。
【請求項２９】
前記含浸された木材をその中心で８０℃に達するように充分に加熱することによって重合が行われることを特徴とする、請求項２８の木材処理用の配合物の製造方法。
【請求項３０】
前記含浸された木材をその中心で１２０℃に達するように少なくとも１時間充分に加熱することによって、臭気を最少に保つ必要のある製品の重合を終了させることを特徴とする、請求項２８の木材処理用の配合物の製造方法。
【手続補正２】
【補正対象書類名】明細書
【補正対象項目名】００１０
【補正方法】変更
【補正の内容】
【００１０】
この配合物をうまく混合するのに必要な処理（手順）は、最初に、２つの溶液を室温で調製することである。第１の溶液は、スチレンに開始剤および架橋剤を溶解させることによって調製される。これによって、澄んだ（透明な）色のついた溶液が生成される。第２の溶液は、フルフリルアルコールに固形の無水マレイン酸開始剤を溶解させることによって調製される。これによって、緑色を帯びた溶液が生成される。次いで、スチレンおよびその添加剤のその溶液と添加剤を含むフルフリルアルコールのその溶液とを組み合わせる。その結果として、最終処理混合物であるうす緑色（ライトグリーン）の溶液が得られる。その混合方法は、スチレンに基づく（based on：をベースとして、に対する、を基準とした）スチレン添加剤の各濃度とフルフリルアルコールに基づく（based on）フルフリルアルコール開始剤の濃度を有する配合物が表１で与えられるような方法に反映されている。但し、スチレンに加えられる（スチレンに基づく（based on the styrene：スチレンをベースとして、スチレンを基準として、スチレンに対して、スチレン濃度の））１０％〜３０％のフルフリルアルコールは既に無水マレイン酸を含んでいる。